(57)【要約】【課題】  遺体を納棺した後に棺の蓋全体を取外すことなく、献花や遺品などを入れる場合や保冷用のドライアイスを入れることを容易に出来る棺を提供する。【解決手段】  本考案の棺は、底板、前板、後板、右側板、左側板を有する縦長の箱体から成る棺本体と、この棺本体の上部開口部を覆う様に、載設された蓋とからなる棺を設け、次に、前記蓋の一方側端部に蓋の長手方向に沿って全長の４０％〜５０％を有する窓を設ける。【選択図】    図２
0003111758.tif 000002
【実用新案登録請求の範囲】
【請求項１】
底板（２）、前板（３）、後板（４）、右側板（５）、左側板（６）を有する縦長の箱体から成る棺本体と、この棺本体の上部開口部を覆う様に、載設された蓋（７）とからなる棺（１）において、前記蓋（７）の一方側端部に設けられた窓（８）が、蓋（７）の長手方向に沿って全長の４０％〜５０％を有することを特徴とする大窓を有する棺蓋。
【請求項２】
上記蓋に設けられた窓（８）には、観音開き状態に蝶着された外扉（９），（１０）及び透明フイルムから成る中フード（１１）が設けられ、この中フード（１１）は蓋（７）の長手方向に沿って、蓋（７）の内側をスライドし開閉することを特徴とする請求項１記載の大窓を有する棺蓋。
【請求項３】
上記中フード（１１）の閉方向の端部には、掛止ピン（１２）が設けられ、外扉（１０）には掛止ピン（１２）を押止して、中フード（１１）が開くのを押える為のストッパー（１３）が設けられたことを特徴とする請求項１及び２記載の大窓を有する棺蓋。
【考案の詳細な説明】
【技術分野】
【０００１】  本考案は、葬儀などの最に、遺体を安置するための棺に関するものである。
【背景技術】
【０００２】  従来遺体処置は、埋葬と火葬が最も普及している。そのなかで、埋葬文化圏では棺を、火葬文化圏では、焼骨を納める骨壷が使用された。現在の日本のように火葬が普及し、埋葬しないにもかかわらず、棺が不可欠な場合もある。
現在の日本では、火葬が全体の９９％を占めており、納棺の姿勢も伸展葬で横長の棺が一般的で、材質は木製で板を組み合わせたものが多い。
現在の日本における棺は、一連の葬儀の流れになくてはならない存在になっている。
日本においては葬儀をする中で、「棺」の存在は大きい。フィジカルな問題も少なからずあるようだが、それ以上に感情的、心情的な側面からも非常に大きな比重を占めるものという感がある。【０００３】  従来の棺は、上面を開口した箱体部と開口部に載設する蓋部とで構成され、蓋部には窓を有するもので、この蓋部の窓は納棺した遺体の頭部に対応する部分に設けてあり、開閉用扉が付設され、開閉用扉を操作して故人の顔が拝見できるようになっている。
更に窓の内側には、透視可能な樹脂板が張設され、スライド式或いは着脱式等によって開閉可能となっている。【０００４】  従来、葬儀等においては、遺体を納棺して花等を添えるが、花に加えて故人が生前使用した遺品を棺の中に入れて遺体に添える場合もある。
これは、故人が身に付けていたものや愛用していたものを、故人の一部として共に葬ることで、故人を偲びつつ安らかな眠りにつくことを願うものといえる。【０００５】  又遺体の保管を要する場合、一般的には、納棺の最にドライアイスを入れた袋を、遺体の首や腹部及び足首に宛がうことにより、遺体全体の温度上昇を抑え、腐敗を防止していた。
上記の様に、従来の棺に設けられた窓は、遺体を納棺した後に故人の顔を拝見するための物で、大体３０ｃｍ〜３５ｃｍ四方位の物であった。特許文献１及２参照。【０００６】
【特許文献１】実開昭６１−７３３１９
【特許文献２】出願２００４−３８０７
【考案の説明】
【考案が解決しようとする課題】
【０００７】  しかし、最近では枕経の後すぐに納棺する場合や病院で亡くなった場合、病院内で納棺されることが多く、遺体を棺に入れた状態で安置する事が多くなっている。
しかしながら、現在の葬儀等においては、遺体を納棺して花等を添えるが、花に加えて故人が生前使用した遺品を棺の中に入れて遺体に添える場合もあり、又遺体の保管を要する場合、一般的には、納棺の最にドライアイスを入れた袋を、遺体の首や腹部及び足首に宛がうことが多く、そのたびに棺の蓋を取り外す必要が有った。
そのため従来の棺では、蓋全体を取外して本体内を開放していたもので、一人では大変であった。
更に、棺の周囲には多くの供物や献花が有り、それも作業を困難にしていた、この様に蓋の取付けや取外しは手間がかかるものであった。
又、従来棺の蓋に設けられた窓は、あくまで遺体を納棺した後に故人の顔を拝見するための物で、遺体の頭部に対応する部分に設けられ大きさ約３０ｃｍ〜３５ｃｍ四方位の物であり、遺品や花を入れたり、保冷用のドライアイスの補充なども困難なもので有った。
本考案は、この様な問題を解決するために成されたものであり、蓋の一方側端部に設けられた窓が、蓋の長手方向に沿って全長の４０％〜５０％を有するもので、窓の全長を伸ばすことで、遺品や花等を入れたり、保冷用のドライアイスの補充なども容易に出来る棺を提供する。
【課題を解決するための手段】
【０００８】  上記課題を解決するため、本考案の棺は、底板（２）、前板（３）、後板（４）、右側板（５）、左側板（６）を有する縦長の箱体から成る棺本体と、この棺本体の上部開口部を覆う様に、載設された蓋（７）とからなる棺（１）において、前記蓋（７）の一方側端部に設けられた窓（８）が、蓋（７）の長手方向に沿って全長の４０％〜５０％を有するもので、これにより棺本体の約半分、遺体の腰から上の部分を開放できるものである。
通常、献花や遺品などを入れる場合、置き場所としては、遺体の上半身が多く、又保冷用のドライアイスを入れた袋を置く所も遺体の首や腹部であるので、十分な開放スペースである。
【０００９】  上記蓋に設けられた窓（８）には、観音開き状態に蝶着された外扉（９），（１０）及び透明フイルムから成る中フード（１１）が設けられ、この中フード（１１）は蓋（７）の長手方向に沿って、蓋（７）の内側を開放スペース一杯までスライドするものである。
【００１０】  上記中フード（１１）の閉方向の端部には、掛止ピン（１２）が設けられ、外扉（１０）には掛止ピン（１２）を押止して、中フード（１１）が開くのを押える為のストッパー（１３）が設けられ、これにより、棺を移動させる最に中フード（１１）が勝手に開くのを防ぐものである。
【考案の効果】
【００１１】  本考案は、上述のとおり構成されているもので、次に記載する効果を奏する。
【００１２】  納棺の後に棺の蓋全体を取外すことなく、献花や遺品などを入れる場合や保冷用のドライアイスを入れた袋を置くことを容易に出来るものである。
【考案を実施するための最良の形態】
【００１３】  本考案の棺は、底板、前板、後板、右側板、左側板を有する縦長の箱体から成る棺本体と、この棺本体の上部開口部を覆う様に、載設された蓋とからなる棺を設け、次に、前記蓋の一方側端部に蓋の長手方向に沿って全長の４０％〜５０％を有する窓を設ける。【００１４】  次に、上記蓋に設けられた窓に、観音開き状態に蝶着された外扉及び透明フイルムから成る中フードを設け、この時中フードは蓋の長手方向に沿って、蓋の内側を開放スペース一杯までスライドする様に設ける。【００１５】  更に、上記中フードの閉方向の端部には、掛止ピンが設けられ、外扉には前記掛止ピンを押止して、中フードが開くのを押える為のストッパーが設けられ、これにより、棺を移動させる最に中フードが勝手に開くのを防ぐものである。
【実施例】
【００１６】  考案の実施例について図面を参照して説明する。
本考案は図１に示す様に、底板（２）、前板（３）、後板（４）、右側板（５）、左側板（６）を有する縦長の箱体から成る棺本体と、この棺本体の上部開口部を覆う様に、載設された蓋（７）とからなる棺（１）を設ける。
前記蓋（７）の一方側端部に、該蓋（７）の長手方向に沿って全長の４０％〜５０％を有する窓（８）を設ける。
これは棺本体の約半分、遺体の腰から上の部分を開放でき、献花や遺品などを入れる場合、置き場所としては、遺体の上半身が多く、又保冷用のドライアイスを入れた袋を置く所も遺体の首や腹部であるので、十分な開放スペースがあるものである。【００１７】  次に、上記蓋に設けられた窓（８）には、観音開き状態に蝶着された外扉（９），（１０）及び透明フイルムから成る中フード（１１）を設け、この中フード（１１）は蓋（７）の長手方向に沿って、蓋（７）の内側を開放スペース一杯までスライドするように設けるものである。【００１８】  更に、上記中フード（１１）の閉方向の端部には、掛止ピン（１２）が設けられ、外扉（１０）には掛止ピン（１２）を押止して、中フード（１１）が開くのを押える為のストッパー（１３）が設けられ、これにより、棺を移動させる最に中フード（１１）が勝手に開くのを防ぐものである。
【産業上の利用可能性】
【図面の簡単な説明】
【図１】    本考案の閉状態を示す平面図
【図２】    本考案の開放状態を示す平面図
【図３】    本考案の開放状態を示す側面図
【図４】    本考案の開放状態を示すＡ〜Ａ断面図
【図５】    本考案の状態を示すＢ〜Ｂ断面図
【図６】    本考案の状態を示す斜視図
【図７】    本考案の状態を示す部分拡大断面図
【符号の説明】
１    棺
２    底板
３    前板
４    後板
５    右側板
６    左側板
７    蓋
８    窓
９    外扉
１０    外扉
１１    中フード
１２    掛止ピン
１３    ストッパー
【図１】
0003111758.tif 000003
【図２】
0003111758.tif 000004
【図３】
0003111758.tif 000005
【図４】
0003111758.tif 000006
【図５】
0003111758.tif 000007
【図６】
0003111758.tif 000008
【図７】
0003111758.tif 000009